(57)【特許請求の範囲】
【請求項１】
連続する鉄筋材料を折曲または湾曲して構成された鉄筋コンクリート用補強鉄筋であって、構築される鉄筋コンクリート構造体の内部に配筋されるべき複数の鉄筋で構成される空間を横断面方向に包囲可能な環状部と、この環状部を形成する前記鉄筋材料の一部が該環状部から延出するとともに、該環状部が包囲する前記鉄筋によって構築される前記鉄筋コンクリート構造体とは異なる構造体の内部に配筋される延出部とを備え、前記環状部は、前記鉄筋材料の先端付近が該鉄筋材料の一部と重なるように設けられ、前記延出部は、前記環状部において重なった部分を経由して該環状部から外方に延出してなることを特徴とする鉄筋コンクリート用補強鉄筋。
【請求項２】
連続する鉄筋材料を折曲または湾曲して構成された鉄筋コンクリート用補強鉄筋であって、構築される鉄筋コンクリート構造体の内部に配筋されるべき複数の鉄筋で構成される空間の横断面に沿って最も外部に位置する少なくとも４本の鉄筋の外縁に当接しつつ該横断面方向に包囲可能な略四角形の環状部と、この環状部を形成する前記鉄筋材料の一部が該環状部から延出するとともに、該環状部が包囲する前記鉄筋によって構築される前記鉄筋コンクリート構造体とは異なる構造体の内部に配筋される延出部とを備え、前記環状部は、前記鉄筋材料の先端付近が前記略四角形の一つの角部で折曲または湾曲され、該角部から該鉄筋材料先端までの範囲において該鉄筋材料の一部が重なるように設けられ、前記延出部は、前記環状部において重なった部分を経由して該環状部から外方に延出してなることを特徴とする鉄筋コンクリート用補強鉄筋。
【請求項３】
前記環状部は、長方形の四辺に沿って形成される略長方形の環状に形成された環状部であり、前記延出部は、前記環状部が形成する略長方形の長辺方向に延出してなる延出部である請求項１または２に記載の鉄筋コンクリート用補強鉄筋。
【請求項４】
前記延出部は、所定の延出長さを有する直線部と、前記鉄筋材料の他端近傍を湾曲させた湾曲部とを備えた延出部である請求項１ないし３のいずれかに記載の鉄筋コンクリート用補強鉄筋。
【請求項５】
前記延出部は、所定の延出長さを有する直線部と、該所定延出長さの終端で湾曲された湾曲部と、この湾曲部に連続しつつ先端を前記環状部に到達させてなる折返し部とを備えた延出部である請求項１ないし３のいずれかに記載の鉄筋コンクリート用補強鉄筋。
【請求項６】
前記延出部は、前記環状部の外方において、任意の方向に角度調整された延出部である請求項１ないし５のいずれかに記載の鉄筋コンクリート用補強鉄筋。
【請求項７】
請求項１ないし５のいずれかに記載の鉄筋コンクリート用補強鉄筋を使用する鉄筋構築方法であって、基礎梁または構造壁を構築するコンクリート内に配筋されるべき複数の横筋を前記環状部に予め挿通し、前記横筋を所定の位置に設置するとき、複数の該横筋により構成される空間を包囲するように前記環状部を配置するとともに、前記延出部が環状部の上方に位置する構造体の内部に配筋されるように調整してなることを特徴とする鉄筋構築方法。
【請求項８】
請求項６に記載の環状鉄筋を使用する鉄筋構築方法であって、基礎梁または構造壁を構築するコンクリート内に配筋されるべき複数の横筋を前記環状部に予め挿通し、前記横筋を所定の位置に設置するとき、複数の該横筋により構成される空間を包囲するように前記環状部を配置するとともに、前記延出部を構成する前記直線部が環状部の上方に位置するスラブまたは構造壁の内部に配筋されるように調整してなることを特徴とする鉄筋構築方法。
【発明の詳細な説明】
【技術分野】
【０００１】
本発明は、鉄筋コンクリートの内部に使用される鉄筋、および、この鉄筋を使用する鉄筋構築方法に関するものである。
【背景技術】
【０００２】
一般に、鉄筋コンクリート構造体は、内部に補強鉄筋を配設し、その鉄筋に対して所定寸法のかぶりを有しつつコンクリートを打設して構成されることが知られている。このような鉄筋コンクリート構造体は、鉄筋コンクリート造（ＲＣ造）による建築物において頻繁に使用されているところである。そして、鉄筋コンクリート造の建物では、基礎工事において、基礎鉄筋を配設し、コンクリートを打設し、その後の工事において、基礎鉄筋と連結させつつ上層部分の鉄筋を配設し、配筋部分にコンクリートを打設して柱、梁または壁等を構築することもまた知られている。
【０００３】
特に、壁式構造では、鉄筋コンクリート構造の壁が構築され、定着用鉄筋によって上下層間を定着させることによって一体化していた。しかし、定着鉄筋がいわゆるダブル配筋によって行われる場合には、コンクリートの充填性が不良となる場合があるため、定着鉄筋をシングル筋とすることが提案されている（特許文献１参照）。
【先行技術文献】
【特許文献】
【０００４】
【特許文献１】特開２０００−３２８７８８（３頁、図３）
【発明の概要】
【発明が解決しようとする課題】
【０００５】
上記の技術は、上下層に連続する構造壁の接合部に位置する梁を貫通するようにシングル筋を配筋し、下層の構造壁と上層の構造壁とが梁を介しつつシングル筋によって定着される構造であった。
【０００６】
しかしながら、上記構成の構築方法は、下層の構造壁について、コンクリートを打設する前に定着鉄筋を設けなければならず、定着鉄筋をダブル配筋による場合に比較して、配筋作業を簡便および容易にするものではなかった。また、配筋された鉄筋が集中する柱や梁に定着鉄筋を刺し通すことは、当該柱や梁の鉄筋を集中させることになり、コンクリートの充填性に問題が残るものとなっていた。
【０００７】
本発明は、上記諸点にかんがみてなされたものであって、その目的とするところは、構造壁または基礎に使用される鉄筋を利用して構造壁の定着を可能にし、配筋作業を簡便化するとともに、コンクリートの充填性を良好にし得る鉄筋コンクリート用補強鉄筋および鉄筋構築方法を提供することである。
【課題を解決するための手段】
【０００８】
そこで、鉄筋コンクリート用補強鉄筋にかかる第一の発明は、連続する鉄筋材料を折曲または湾曲して構成された鉄筋コンクリート用補強鉄筋であって、構築される鉄筋コンクリート構造体の内部に配筋されるべき複数の鉄筋で構成される空間を横断面方向に包囲可能な環状部と、この環状部から所定方向に延出する延出部とを備え、前記環状部は、前記鉄筋材料の先端付近が該鉄筋材料の一部と重なるように設けられ、前記延出部は、前記環状部において重なった部分を経由して該環状部から外方に延出してなることを特徴とするものである。
【０００９】
上記構成によれば、環状部と延出部とが連続する鉄筋材料で構成されていることから、環状部をフープ筋またはスターラップとして機能させることができると同時に、延出部を上層の他の構造体に挿入させることにより、当該延出部を定着鉄筋として機能させることが可能となる。
【００１０】
また、鉄筋コンクリート用補強鉄筋にかかる第二の発明は、連続する鉄筋材料を折曲または湾曲して構成された鉄筋コンクリート用補強鉄筋であって、構築される鉄筋コンクリート構造体の内部に配筋されるべき複数の鉄筋で構成される空間の横断面に沿って最も外部に位置する少なくとも４本の鉄筋の外縁に当接しつつ該横断面方向に包囲可能な略四角形の環状部と、この環状部から所定方向に延出する延出部とを備え、前記環状部は、前記鉄筋材料の先端付近が前記略四角形の一つの角部で折曲または湾曲され、該角部から該鉄筋材料先端までの範囲において該鉄筋材料の一部が重なるように設けられ、前記延出部は、前記環状部において重なった部分を経由して該環状部から外方に延出してなることを特徴とするものである。
【００１１】
上記構成によれば、連続する鉄筋材料により略四角形の環状部を形成し、しかも、当該略四角形の全周を鉄筋材料で形成することができる。そして、延出部は、略四角形の一辺を形成しつつ、当該辺の延長線上に延出させることができることから、当該略四角形を形成する環状部を通常のフープ筋またはスターラップとして使用することにより、延出部が適宜位置に配筋されるべき定着鉄筋として機能することとなる。
【００１２】
前記各発明において、前記環状部が、長方形の四辺に沿って形成される略長方形の環状に形成された環状部であり、前記延出部が、前記環状部が形成する略長方形の長辺方向に延出してなる延出部である構成としてもよい。
【００１３】
上記構成によれば、例えば、鉛直方向に長い寸法で構築される基礎において、そのための鉄筋を設置する場合、前記環状部をスターラップ（あばら筋）として使用することにより、基礎と上層の構造壁との定着鉄筋が基礎表面から立設された状態で配設されることとなる。
【００１４】
また、上記各発明において、前記延出部が、所定の延出長さを有する直線部と、前記鉄筋材料の他端近傍を湾曲させた湾曲部とを備えた構成とすることができる。
【００１５】
上記構成によれば、直線部は所定の長さを有することにより定着鉄筋として十分に機能させることができ、その先端の湾曲部は、基礎等の表面から立設する直線部の上端の向きを鉛直方向とならないようにすることができる。つまり、環状部を含む部分についてコンクリートを打設した後には、直線部が定着鉄筋として基礎等の表面から突出することとなるため、その先端を湾曲させて定着力を強化させるとともに、鋭利な切断面を有する鉄筋材料先端が上向きに露出することを防止することができるのである。
【００１６】
また、上記構成に代えて、前記延出部が、所定の延出長さを有する直線部と、該所定延出長さの終端で湾曲された湾曲部と、この湾曲部に連続しつつ先端を前記環状部に到達させてなる折返し部とを備えた構成としてもよい。
【００１７】
上記構成によれば、延出部が直線部と折返し部の二本の鉄筋によって形成されることとなるから、環状部を内部に備える構造体と、これに連続する構造体との間の定着状態は、二本の定着鉄筋によるいわゆるダブル配筋と同様の状態を形成させることができる。特に、直線部と折返し部とは平行に設けられる場合には、まさにダブル配筋と同様である。なお、このような構成においても、延出部を基礎等の表面から立設するように設けた場合、その上端には湾曲部が位置することとなるから、鋭利な切断面を有する鉄筋材料先端が上向きに露出することを防止し得るものである。
【００１８】
さらに、上記各発明において、前記延出部が、前記環状部の外方において、任意の方向に角度調整された構成とすることができる。上記構成によれば、延出部の延出方向を調整することにより、上層に構築される構造壁の内部のうち、適宜位置に挿入させることができるとともに、構造壁に限定されず、上層のスラブとの間で定着させることも可能となる。
【００１９】
他方、鉄筋構築方法にかかる第一の発明は、請求項１ないし５のいずれかに記載の環状鉄筋を使用する鉄筋構築方法であって、基礎梁または構造壁を構築するコンクリート内に配筋されるべき複数の横筋を前記環状部に予め挿通し、前記横筋を所定の位置に設置するとき、複数の該横筋により構成される空間を包囲するように前記環状部を配置するとともに、前記延出部が環状部の上方に位置する構造体の内部に配筋されるように調整してなることを特徴とするものである。
【００２０】
上記構成によれば、予め横筋が挿通された環状部は、当該横筋が所定位置に設置されることにより、必然的に横筋により構成される空間を包囲する状態で配置されることとなり、横筋を設置する作業によって、同時に環状部をスターラップとして配筋することが可能となる。さらに、延出部の位置を調整することによって、同時に定着鉄筋の設置も行うことができる。
【００２１】
また、鉄筋構築方法にかかる第二の発明は、請求項６に記載の環状鉄筋を使用する鉄筋構築方法であって、基礎梁または構造壁を構築するコンクリート内に配筋されるべき複数の横筋を前記環状部に予め挿通し、前記横筋を所定の位置に設置するとき、複数の該横筋により構成される空間を包囲するように前記環状部を配置するとともに、前記延出部を構成する前記直線部が環状部の上方に位置するスラブまたは構造壁の内部に配筋されるように調整してなることを特徴とするものである。
【００２２】
上記構成によれば、この場合においても、横筋を設置することにより、当該横筋が構成する空間を包囲する状態で環状部を設置することとなり、環状部をスターラップとして配筋することができる。そして、延出部を構成する直線部が環状部の外方で折曲されて横方向に延出する場合には、上層のスラブ内において定着させることができる。
【発明の効果】
【００２３】
鉄筋コンクリート用補強鉄筋にかかる第一の発明によれば、環状部をフープ筋またはスターラップとして使用することができ、これと同時に、延出部を他の構造体に挿入させることが可能となることから、個別に定着鉄筋を配設する必要がなくなる。これにより、建物全体についての配筋作業の量を削減することができ、当該配筋作業を簡便化することができる。さらに、個別の定着鉄筋を配設しないことから、鉄筋が集中する部分における鉄筋数を削減できることとなり、当該部分のコンクリート充填性を向上させることとなる。
【００２４】
また、鉄筋コンクリート用補強鉄筋にかかる第二の発明によれば、前記第一の発明における効果に加えて、環状部をフープ筋またはスターラップとして使用する際の、定着鉄筋として機能する延出部の配置状態を明確にすることができ、配筋作業を一層簡便化することができる。また、環状部の先端付近は略四角形の一つの角部で折曲または湾曲されているので、所定空間を構成する少なくとも４本の鉄筋のうちの１本が当該一つの角部に係止されることとなり、環状部の開放を抑制することができる。
【００２５】
鉄筋構築方法にかかる第一の発明によれば、環状部に横筋を予め挿通させることにより、構築すべきコンクリート構造体に必要な数のスターラップを横筋の設置前に準備することができる。さらに、このスターラップは、個別の配筋作業を要することなく設置でき、同時に定着鉄筋をも設置できることから、極めて簡便な配筋作業を実現することができる。
【００２６】
また、鉄筋構築方法にかかる第二の発明によれば、前記第一の発明における効果に加えて、上層に構築されるべき構造壁に限らずスラブにおいて定着させることも可能となる。そして、上層の構造壁において定着させることができる構成の鉄筋コンクリート用補強鉄筋と、上層のスラブにおいて定着させることのできる構成の鉄筋コンクリート用補強鉄筋とを混合して使用することにより、両者との間で定着させることも可能となり、これまた配筋作業を簡便化することができるものである。
【図面の簡単な説明】
【００２７】
【図１】本発明の鉄筋コンクリート用補強鉄筋にかかる実施形態を示す斜視図である。
【図２】鉄筋コンクリート用補強鉄筋の変形例を示す説明図である。
【図３】鉄筋コンクリート用補強鉄筋の使用形態を示す図である。
【図４】鉄筋コンクリート用補強鉄筋の使用形態を示す図である。
【図５】鉄筋コンクリート用補強鉄筋の他の実施形態の使用状態を示す説明図である。
【図６】鉄筋コンクリート用補強鉄筋の使用形態を示す図である。
【図７】鉄筋コンクリート用補強鉄筋の使用形態を示す図である。
【図８】鉄筋コンクリート用補強鉄筋の使用形態を示す図である。
【図９】本発明の鉄筋構築方法にかかる実施形態を示す説明図である。
【図１０】鉄筋コンクリート用補強鉄筋の他の実施形態を示す説明図である。
【図１１】図１０（ａ）に示す鉄筋コンクリート用補強鉄筋の使用状態を示す説明図である。
【図１２】図１０（ｂ）に示す鉄筋コンクリート用補強鉄筋の使用状態を示す説明図である。
【発明を実施するための形態】
【００２８】
以下、本発明の実施の形態を図面に基づいて説明する。まず、鉄筋コンクリート用補強鉄筋にかかる第二の発明の実施形態について説明する。図１は、本実施形態の概略を示す図である。この図に示すように、本実施形態の鉄筋コンクリート用補強鉄筋Ｔは、環状部１と延出部２とを備えた構成となっている。
【００２９】
ここで、環状部１は、先端付近１１を部分的に残した状態で折曲し、さらに適宜個所で折曲することにより、上部短辺部１２、片方長辺部１３、下部短辺部１４および他方長辺部１５が形成され、全体として略長方形状の環状を構成している。上記のうち、他方長辺部１５は、連続して環状部１から突出するように延出させており、これが延出部２を構成している。この延出部２と他方長辺部１５との境界付近において、先端付近１１と他方長辺部１５が部分的に重なった状態となっている。
【００３０】
このような構成の環状部１は、複数の鉄筋により構成される空間を横断面方向に包囲するように形成されるものである。すなわち、図示のように、長手方向を横向きにして配置される鉄筋（以下、横筋という）４，５が上下に２本ずつ配置されるような場合には、上端筋４１，４２および下端筋５１，５２によって、略四角柱形状の空間が形成される。そして、この略四角柱形状の空間の横断面方向の周囲を環状部１によって包囲させるのである。そのため、環状部１の各辺部１２，１３，１４，１５によって形成される上記略四角形は、横筋４，５によって形成される略四角柱形状の空間の横断面形状に合わせているのである。
【００３１】
このような環状部１による横筋４，５の包囲は、横筋が配置されるべき位置を予め採寸（設計図面上で確認）し、横筋を設置するとき、環状部１が当該横筋４，５を包囲できるように適宜折曲（または湾曲）させるための加工が施されるものである。
【００３２】
なお、横筋には、上端筋４および下端筋５のほかにも中間筋６が配設される場合もある。このような中間筋６も適宜間隔を有する２本の横筋６１，６２として設けられるが、この２本の横筋６１，６２の最外縁の間隔は、前記上端筋４または下端筋５の最外縁と同じ間隔となるため、環状部１の構成に影響を与えないことが一般的である。ただし、この中間筋６１，６２の間隔が上下の端筋４，５と異なる寸法で配設される場合には、環状部１の形状は図示の略四角形から略六角形に近似することもあり得る。このように、環状部１が略四角形以外の形状になる場合は第一の発明に係る鉄筋コンクリート用補強鉄筋の実施形態の一例となるものであるが、ここでは、第二の発明の実施形態についてのみ説明する。
【００３３】
ところで、本実施形態の延出部２は、環状部１の他方長辺部１５に連続した部分で構成されていることから、当該他方長辺部１５の軸線方向に一致している。従って、図示のように、上部短辺部１２を上位に、下部短辺部１４を下位にすることによって、延出部２は、上向きに突出させることができるのである。
【００３４】
このような場合、延出部２については種々の形態があり得る。図２にその一例を示す。すなわち、例えば、図２（ａ）に示すように、延出部２の先端２１を湾曲させて湾曲部２２を構成する形態がある。このような形態の延出部２は、所定の延出長さを保持するため、所定長さの直線部２３を有するように構成されるものである。そして、湾曲部２２を設けることにより、上向きに突出する先端部分２１を下方に向けることができ、鋭利な切断端面を上向きに露出させないことが可能となる。
【００３５】
また、図２（ｂ）に示すように、延出部２を環状部１の外方で折曲してもよい。折曲位置２４は、環状部１の外方であることから、環状部１の先端付近１１と他方長辺部１５が重なる部分３が存在するため、環状部１の構成は前記と同様である。なお、延出部２の延出方向は、環状部１で構成される四辺形と同一平面上であり、かつ、長辺部１３，１５の軸線方向に対して直交方向としている。これにより、環状部１が設置されて構築される鉄筋コンクリート構造体の上部から水平方向に設けられる構造体に定着させることができる。
【００３６】
次に、本実施形態の使用態様について説明する。図３は、その一例を示す図である。この図に示すように、基礎梁を構成するために軸線を水平方向とする横筋４１，４２，５１，５２が配筋される場合において、前記の実施形態にかかる複数の鉄筋Ｔａ，Ｔｂ，Ｔｃ，Ｔｄ・・・の環状部１ａ，１ｂ，１ｃ，１ｄ・・・が各横筋４１，４２，５１，５２を包囲するように設けられる。このとき、上端筋４１，４２と下端筋５１，５２によって断面略四辺形が形成され、各環状部１ａ，１ｂ，１ｃ，１ｄ・・・が、それぞれの位置において前記断面略四辺形を包囲する状態とするのである。
【００３７】
このように、複数の鉄筋Ｔａ，Ｔｂ，Ｔｃ，Ｔｄ・・・を設置することにより、延出２ａ，２ｂ，２ｃ，２ｄ・・・は、上端筋４１，４２よりも上方に延出する状態となり、当該基礎部分の上層に構造壁を構築する場合には、その構造壁の内部に侵入することとなるのである。ここで、壁式構造の建物においては、当該構造壁においても配筋およびコンクリート打設によって、鉄筋コンクリート構造体が形成されることから、当該構造壁内部において、延出部２ａ，２ｂ，２ｃ，２ｄ・・・が定着されることとなる。
【００３８】
つまり、より詳細に説明すれば、図４に示すように、基礎部分Ｖの上部において、床スラブＦと、ベランダ用スラブＢと、構造壁Ｗを構築する場合、基礎部分Ｖを構成するための配筋のうち、上端筋４１，４２は、床スラブＦおよびベランダ用スラブＢの厚さ寸法のほぼ中間に位置することとなり、延出部２は、この両スラブＦ，Ｂの厚さ寸法を超えて構造壁Ｗの内部に到達することができる。このとき、延出部２は環状部１の他方長辺部１５と同じ位置で延出される実施形態を使用する場合、基礎部分Ｖにおける長辺部１５のかぶり寸法Ｈ１と同じかぶり寸法Ｈ２により構造壁Ｗにおける配筋がなされることとなる。このような配筋状態は、構造壁Ｗの外側表面の位置を基礎部分Ｖの外側表面に合わせることによって可能としている。従って、例えば、構造壁Ｗの中心位置を基礎部分Ｖの中心位置に合わせる場合には、延出部２の延出位置を調整することが必要となる。
【００３９】
さらに、延出部２の延出長さＤは、構築される基礎部分Ｖもしくは構造壁Ｗの寸法、または、使用される鉄筋群の径の大きさ等により異なる。これは、延出部２を定着鉄筋として機能させるため、その定着力を確保するために必要となる寸法に延出長さＤを構成するのである。
【００４０】
ここで、延出部２の先端を湾曲させてなる実施形態（図２（ａ）参照）の鉄筋コンクリート用補強鉄筋を使用してもよい。このときの使用形態としては、基本的には、図３に示す状態と同様に、環状部１ａ〜１ｄが各横筋４１，４２，５１，５２を包囲するように複数の鉄筋Ｔａ〜Ｔｄを設けることによって、延出部２ａ〜２ｄを立設した状態で配置させることができる。
【００４１】
この場合、図５に示すように、延出部２は立設され、その先端部分は延出部２の上端付近に位置することとなるが、その上端には湾曲部２２が存在し、鉄筋の先端２１は、下向きに配置されることとなる。これにより、例えば、基礎部分Ｖを打設した後で、かつ、構造壁Ｗを構築する前の状態では、延出部２が基礎部分Ｖから上向きに突出することとなるが、比較的な鋭利な鉄筋先端２１が上向きに露出させないことができるのである。
【００４２】
なお、湾曲部２２から先端２１までの間には僅かながら直線部分が形成される場合があり、その場合、当該直線部分と構造壁端面とのかぶり寸法Ｈ３は、延出部２の直線部２３についてのかぶり寸法Ｈ２と同じ寸法となるように、湾曲部２２の曲率を調整することにより、当該直線部分が構造壁Ｗの鉄筋群の一部を形成させることができる。
【００４３】
また、前掲の実施形態の使用態様には、図６に示すようなものがある。ここで使用する実施形態は、延出部２が環状部１の外方で折曲してなるものである（図２（ｂ）参照）。この折曲方向は、環状部１による略四辺形と同一平面上で、かつ、他方長辺部１５に直角方向としたものである。このような実施形態の使用形態により、複数の鉄筋Ｔａ，Ｔｂ，Ｔｃ，Ｔｄ・・・を、前記と同様に、上端筋４１，４２と下端筋５１，５２とを包囲するように配筋することにより、延出部２ａ，２ｂ，２ｃ，２ｄ・・・は、同じ高さで水平方向に突出することとなる。
【００４４】
上記使用形態により、図７に示すように、延出部２は、構造壁Ｗではなく床スラブＦの内部に配筋されることとなる。これにより、延出部２が床スラブＦによって定着されることとなることから、構造壁Ｗとの定着が不要である場合等に使用することができる。また、延出部２をベランダ用スラブＢに向かって延出させる場合もあり得る。この場合は、ベランダ用スラブＢの傾斜（上面の勾配）に合わせて延出部２の折曲角度を調整することとなるが、それを除けば、床スラブＦに向かって延出させる場合と同様である。
【００４５】
なお、上記各使用形態を混合させることも可能である。すなわち、図８に示すように、複数の鉄筋コンクリート用補強鉄筋Ｔａ，Ｔｂ，Ｔｃ，Ｔｄ・・・のうち、延出部２ａ，２ｃが鉛直方向に延出する形態の鉄筋Ｔａ，Ｔｃと、延出部２ｂ，２ｄが水平方向に延出する形態の鉄筋Ｔｂ，Ｔｄとが、混合して配置される使用形態である。さらに、延出部２ｂ，２ｄのうち、一方の延出部２ｂは床スラブ側に延出し、他方の延出部２ｄはベランダ用スラブＢに向かって延出する形態の鉄筋Ｔｂ，Ｔｄを配置するのである。これにより、環状部１ａ，１ｂ，１ｃ，１ｄ・・・を配筋した構造体から三方向に延出部２ａ，２ｂ，２ｃ，２ｄ・・・が延出することとなり、当該構造体に接合される各建築要素との間で適宜定着を可能にすることができる。
【００４６】
次に、鉄筋構築方法の実施形態について説明する。図９は、本実施例の概略を示す図である。この図に示すように、基礎または構造壁の内部に構築される鉄筋群は、主として、複数の横筋４，５，６ａ，６ｂ，６ｃ，６ｄと、これらの周囲を包囲するように配置される環状部１ａ，・・・,１ｇとで構成されるところ、これら横筋４，５，６ａ〜６ｄを、予め環状部１ａ〜１ｇに挿通させるのである（図９（ａ））。
【００４７】
次に、前記横筋４，５，６ａ〜６ｄのうち、下端筋５は所定のスラブ等の表面上に設置し、上端筋４は下端筋５から所定高さに維持しつつ設置することにより、これら上下端筋４，５によって所定空間が形成され、その横断面方向に環状部１ａ〜１ｇを包囲させる状態とするのである（図９（ｂ））。このように、下端筋５を配置した後、上端筋４を上昇させることによって、上端筋４が環状部１ａ〜１ｇの上部短辺部を持ち上げ、鉄筋Ｔａ，・・・，Ｔｇは、すべて立設されることとなる。このとき、各鉄筋Ｔａ〜Ｔｇは、立設されるが位置が固定されていないため、横筋４，５，６ａ〜６ｄの軸線方向に移動可能な状態となっている。そこで、各鉄筋Ｔａ〜Ｔｇを所定の位置まで移動させ、その位置において横筋との間で結束等により固定するのである。なお、鉄筋Ｔａ〜Ｔｇを立設させる際には、延出部２ａ，・・・，２ｇの延出方向が所望の方向（図では鉛直方向）となるように、上端筋４の位置を上昇させる際に調整するのである。
【００４８】
このように、延出部２ａ〜２ｇの延出方向を所望の方向（鉛直方向）に一致させつつ鉄筋Ｔａ〜Ｔｇを立設させることによって、図３および図４に示されているように、下層の構造体（基礎部分Ｖ）のための配筋と、上方に延出する定着鉄筋の配設とを同時に行うことができる。
【００４９】
上記のように延出部２ａ〜２ｇが直線状である鉄筋コンクリート用補強鉄筋を使用する場合は、鉄筋構築方法にかかる第一の発明の実施形態である。これに対し、延出部２ａ〜２ｇを所定方向に角度調整した鉄筋コンクリート用補強鉄筋を使用する場合には、鉄筋構築方法にかかる第二の発明の実施形態となるものである。この場合に使用される鉄筋コンクリート用補強鉄筋としては、図２（ｂ）に示すような形態のものがあり、この場合においても上記と同様に、複数の横筋４，５，６ａ〜６ｄの周囲を包囲できるように、予め環状部１ａ〜１ｇに横筋４，５，６ａ〜６ｄを挿通させ、下端筋５を所定位置に設置し、上端筋４を下端筋５から所定高さに設置するのである。これにより、これら上下端筋４，５によって所定空間が形成され、その横断面方向に環状部１ａ〜１ｇを包囲させる状態とすることによって、延出部２ａ〜２ｇは、予め調整された角度に向かって突出することとなり、例えば、延出部２ａ〜２ｇを床スラブＦの内部に配筋させる（図６参照）ことも可能である。
【００５０】
なお、下層の構造体（基礎部分Ｖ）を構成する環状部２ａ〜２ｇは、スターラップ（あばら筋）として機能することから、当該構造体の長手方向に必要なスターラップの数と同数の鉄筋Ｔａ〜Ｔｇが使用されることとなる。従って、前記のように、予め横筋４，５，６ａ〜６ｄが挿通される環状部１ａ〜１ｇを有する鉄筋Ｔａ〜Ｔｇは、上記と同数を同時に挿通させておくこととなる。しかし、これらの鉄筋Ｔａ〜Ｔｇの増減は、その環状部１ａ〜１ｇに横筋４，５，６ａ〜６ｄを挿通するか、抜き取るかによるため、作業直前にその数を調整することができるものである。
【００５１】
本発明の実施形態は上記のとおりであるから、鉄筋コンクリート用補強鉄筋にかかる上記実施形態を使用すれば、下層における構築物（鉄筋コンクリート構造体）のための配筋と同時に定着鉄筋をも配筋することができる。しかも、延出部の延出方向を所望の方向とすれば、環状部を横筋で支えることによって前記各状態を形成することができる。
【００５２】
そして、鉄筋構築方法にかかる実施形態によれば、環状部に横筋を挿通する工程および横筋を所定の位置に設置する工程によって、環状部および延出部を所定の状態に配置することができるので、配筋作業を簡便にすることができる。
【００５３】
本発明の実施形態については、上記に限定されるものではなく、本発明の趣旨を逸脱しない範囲において種々の形態とすることができる。例えば、鉄筋コンクリート用補強鉄筋にかかる実施形態として、図１０（ａ）に示すように、延出部１０２を二本の鉄筋により形成させた構成とするものであってもよい。
【００５４】
上記形態の延出部１０２は、直線部１２３と、湾曲部１２２を介して直線部１２３に平行な折返し部１２５とを備えるように構成されており、この場合の折返し部１２５の先端は環状部１０１の中央付近に達するように設けられている。このような形態では、延出部１０２を構成する直線部１２３が、他方の長辺部１１５の軸線上に延長して構成されている。すなわち、当該長辺部１１５と直線部１２３は一直線上に連続する状態となっている。
【００５５】
また、上記形態の鉄筋コンクリート用補強鉄筋の延出部１０２を円環部１０１の外方で折曲または湾曲することにより、その突出方向を調整する場合には、例えば、図１０（ｂ）に示すように、円環部２０１の外方の任意の位置２２４において直線部２２３を略直角に折曲してなる構成がある。このような形態の場合には、折曲部分２２４から先の直線部２２３は、円環部２０１の他方の長辺部２１５に対し略直交方向に延出することとなる。しかも、折返し部２２５は、上記直線部２２３に平行な状態となるため、折曲部分２２４から湾曲部２２２までの間は、直線部２２３と折返し部２２５の二本が平行に延出する状態となるものである。なお、折返し部２２５は相当程度に長尺であることから、その先端部２２１は、折曲部分２２４から反対方向に突出した位置に到達することとなる。
【００５６】
上記のような形態の鉄筋コンクリート用補強鉄筋を使用する場合には、円環部１０１，２０１が内部に配置される構造体（例えば基礎部分）に連続する構造体（例えば構造壁や床スラブ）に対して、二本の鉄筋で定着させる（いわゆるダブル配筋）構造とすることができる。つまり、図１０（ａ）に図示する形態については、図１１に示すように、円環部１０１により基礎部分Ｖのスターラップを構成することにより、延出部１０２は構造壁Ｗの内部鉄筋を構成することとなる。このときの延出部１０２は直線部１２３と折返し部１２５の二本が平行していることから、この両者１２３，１２５によってダブル配筋構造となるのである。このとき、折返し部１２５の先端部１２１は、円環部１０１の中央付近に到達しているので、基礎部分Ｖと構造壁Ｗとの定着を強化することができる。
【００５７】
さらに、図１０（ｂ）に図示する形態については、図１２に示すように、延出部２０２を床スラブＦの内部鉄筋として使用することができる。この場合、床スラブＦの内部には、二本の鉄筋を配設することができるとともに、折返し部２２５が基礎部分Ｖの上端付近を貫通してベランダ用スラブに到達させることができる。このような構成により、基礎部分Ｖの上端部と、床スラブＦと、ベランダ用スラブＢの三構造体を連続した延出部２０２によって連続させることができる。
【００５８】
また、鉄筋構築方法にかかる実施形態の説明では、延出部が鉛直方向に一致して配設される場合についてのみ示したが、延出部が環状部の外方で折曲してなる鉄筋を使用する場合には、当該折曲部から延出する延出部の方向を所望方向に向けて調整することとなる。そして、その向きを同一方向にすることによって図６および図７に示すように、延出部を床スラブＦなどの水平構造体の内部に配筋することができるものである。また、延出部の延出方向は、鉛直および水平のいずれか一方に限定されるものではなく、鉛直方向、床スラブ方向およびベランダ用スラブ方向のそれぞれに向かうように調整することもできる。このような場合には、図８に示すような配筋状態が実現できるものである。
【００５９】
なお、図１に示したように、本実施形態の鉄筋材料は、異形鉄筋を代表例として図示しているが、鉄筋材料としては、異形鉄筋に限定されるものではなくその他の種類の鉄筋材料を使用することができる。
【符号の説明】
【００６０】
１，１ａ，１ｂ，１ｃ，１ｄ，１ｅ，１ｆ，１ｇ，１０１，２０１  環状部
２，２ａ，２ｂ，２ｃ，２ｄ，２ｅ，２ｆ，２ｇ，１０２，２０２  延出部
３  重ね合わせ部
４，４１，４２  上端筋（横筋）
５，５１，５２  下端筋（横筋）
６，６ａ，６ｂ，６ｃ，６ｄ，６１，６２  横筋
２２，１２２，２２２  湾曲部
２３，１２３，２２３  直線部
１２５，２２５  折返し部
Ｂ  ベランダ用スラブ
Ｄ  突出長さ
Ｆ  床スラブ
Ｈ１，Ｈ２  かぶり寸法
Ｖ  基礎部分
Ｗ  構造壁
【図１】
0005775369.tif 000002
【図２】
0005775369.tif 000003
【図３】
0005775369.tif 000004
【図４】
0005775369.tif 000005
【図５】
0005775369.tif 000006
【図６】
0005775369.tif 000007
【図７】
0005775369.tif 000008
【図８】
0005775369.tif 000009
【図９】
0005775369.tif 000010
【図１０】
0005775369.tif 000011
【図１１】
0005775369.tif 000012
【図１２】
0005775369.tif 000013